(57)【要約】      （修正有）【課題】シートバックが、前後へ動揺して、傾斜や昇降及び前後に変位できる椅子底座のアセンブリー構造を提供する。【解決手段】ばねによって付勢される摺動枢着棒１０４が、両側にある枢着穴の下方の摺動槽１０３から突出し、これにより、シートバックフレーム２と枢着穴との枢着が、摺動枢着棒１０４によって制限され、そのため、シートバックフレーム２が、ばねによって付勢されることにより底座１０に対して相対的に動揺でき、また、該ばねの弾力は、調整車によって制御され、そして、底座１０の先端に、シートパッドフレーム３が枢着され、シートパッドフレーム３の後端に、動揺板３２が枢着されていることにより、シートバックフレーム２のネジ杆２６に螺着され、そのため、シートパッドフレーム３の傾斜角度を変化でき、また、シートパッドフレーム３に、シートパッドを固定するための摺動可能且つ係止可能の摺動座３５がレール接続される。【選択図】図１
0003144493.tif 000002
【実用新案登録請求の範囲】
【請求項１】
主として、脚座気圧棒の上方に固定結合され、シートバックフレームとシートパッドフレームが枢着される椅子底座であって、
底端が、脚座に固定され、上面に操作ボタンが設けられる脚座気圧棒と、
先端に、底座の幅に対応する二つのステーがある枠フレームであり、ステー上に、枢着穴と固定穴が形成され、枠フレームの後端に、シートバックを結合するための槽が設けられるシートバックフレームと、
先端に、底座の先端に結合される結合棒があり、後端が、シートバックフレームに連結され、シートパッドを固定するためのフレーム体であるシートパッドフレームと、
脚座気圧棒と線制御の枢着板可動部材制御操作ボタンが固定されるスリーブを内蔵する皿状座体で、中端の両側に、枢着穴と、枢着穴に対応する摺動槽とが、形成され、摺動枢着棒が、摺動槽を通して抵当押さえ板のばねによって付勢され、また、押さえ板が、調整車軸心にあるねじ山によって連動され、また、調整車が、伝達ハンドルの噛合いにより連動され、そして、座体の先端において、両側に、結合孔が設けられる底座と、
が備えられ、
上記の部材により、シートバックフレームステーの枢着穴と固定穴に、それぞれ、底座の枢着穴と摺動枢着棒が枢着され、シートバックフレームが、摺動枢着棒を介して、摺動槽を、ばねによる付勢で、前後に変位し、また、該ばねの弾力が、伝達ハンドルにより、調整車で押さえ板が連動されることにより、調整される、
ことを特徴とする椅子底座のアセンブリー構造改良。
【請求項２】
シートパッドフレームの枠体の両側の上面に、シートパッドが固定される摺動座がレール接続され、摺動座に、歯溝板に対応して係止する弾性係止板があり、弾性係止板が、引かれて歯溝板から脱離されると、シートパッドを引くことにより、摺動座が、シートパッドフレームに対して、相対的に前後に変位調整されることを特徴とする請求項１に記載の椅子底座のアセンブリー構造改良。
【請求項３】
摺動枢着棒において、径方向に、冂形状フレーム内部に貫設されるトゥースフェイス棒が設けられ、また、トゥースフェイス棒の下方にある導線により、弾性部材が常に上へ付勢されるようになり、そして、トゥースフェイス棒に、弾性が比較的に小さいクラウンバーにより、僅かに押さえられ、これにより、トゥースフェイス棒の歯溝が、冂形状フレームの係止シートにより抵当されてシートバックが、固定状態に保持され、また、調整ボタンにより導線が連動され、弾性部材が、下へ引っ張られて内縮すると、弾性が比較的に小さいクラウンバーの押さえ力により、トゥースフェイス棒が、下へ変位して係止シートの係止から脱離し、そのため、シートバックが、再び、力を受けて前後へ動揺でき、まだ、回復調整ボタンにより、弾性部材が、上へ付勢される時、トゥースフェイス棒の複数の歯溝のいずれかの一つが、再び、係止シートと係止することを特徴とする請求項１に記載の椅子底座のアセンブリー構造改良。
【請求項４】
シートバックフレームの後端に、シートバックフレームが上に向かって枢着されるようにネジ杆に対応して螺合でき、下へ動揺可能に動揺板が設けられ、ネジ杆を回動調整することにより、シートパッドフレームとシートバックフレームとの後端の相対距離が調整されることを特徴とする請求項１に記載の椅子底座のアセンブリー構造改良。
【考案の詳細な説明】
【技術分野】
【０００１】
本考案は、椅子底座のアセンブリー構造改良に関し、特に、該底座は、枢着されるシートバックフレームによって制御され、固定結合される脚座気圧棒により、昇降が調整され、底座において、シートバックフレームが枢着される枢着穴の下方に、摺動槽が形成され、該摺動槽は、摺動枢着棒が貫設されてからシートバックフレームに枢着され、これにより、枢着穴に対して、相対的に回動可能な空間が構成され、また、底座内において、調整車によって調節されるばねにより、摺動枢着棒が付勢され、弾力が提供され、また、底座の先端に、シートパッドフレームが枢着され、該シートパッドフレームの後端に、シートバックフレームのネジ杆に螺着される動揺板が枢着され、そのため、シートパッドフレームの傾斜角度が変化でき、また、シートパッドフレームに、シートパッドが固定される、摺動や係止可能の摺動座がレール接続され、これにより、椅子全体は、シートバックの前後動揺やシートパッドの傾斜や昇降及び前後変位の調整機能が実現される。
【背景技術】
【０００２】
従来の椅子は、主として、底座の部分に様々の調整構造が設置されるが、各部材が、独自に組み立てられるため、所定の体積になり、しかしながら、底座の収納空間が限られているため、従来の構成では、多機能の底座構造は、凄く大きい体積や重量になり、また、各種調整機能の制御棒が、外へ突出するようになり、搬送するには、手間が掛かるだけでなく、椅子全体の外観設計にも容易に影響を与えて、美感を失い、また、ユーザーにとって、直接に操作することが容易ではないため、実用的なものとは言えない。
【考案の開示】
【考案が解決しようとする課題】
【０００３】
本考案は、椅子底座のアセンブリー構造改良を提供し、主として、脚座気圧棒の上方に固定結合される底座であって、シートパッドフレームが枢着され、底座において、ばねにより付勢され、両側の枢着穴の下方に位置する摺動槽に突入する摺動枢着棒があり、これにより、シートバックフレームと枢着穴との枢着が、摺動枢着棒によって制限され、シートバックフレームが、ばねによる付勢により、相対的に底座に対して動揺し、また、該ばねによる弾力が、調整車により制御され、そして、底座の先端にシートパッドフレームが枢着され、該シートパッドフレームの後端に、シートバックフレームのネジ杆に螺着される動揺板が枢着され、また、シートパッドフレームに、シートパッドが固定され、摺動や係止可能の摺動座がレール接続される。
【課題を解決するための手段】
【０００４】
請求項１の考案は、主として、脚座気圧棒の上方に固定結合され、シートバックフレームとシートパッドフレームが枢着される椅子底座であって、底端が、脚座に固定され、上面に操作ボタンが設けられる脚座気圧棒と、先端に、底座の幅に対応する枠フレームである二つのステーがあり、ステー上に、枢着穴と固定穴が形成され、枠フレームの後端に、シートバックを結合するための槽が設けられるシートバックフレームと、先端に、底座の先端に結合される結合棒があり、後端が、シートバックフレームに連結され、シートパッドを固定するためのフレーム体であるシートパッドフレームと、脚座気圧棒と線制御の枢着板可動部材制御操作ボタンが固定されるスリーブを内蔵する皿状座体で、中端の両側に、枢着穴と、枢着穴に対応する摺動槽とが、形成され、摺動枢着棒が、摺動槽を通して抵当押さえ板のばねによって付勢され、また、押さえ板が、調整車軸心にあるねじ山によって連動され、また、調整車が、伝達ハンドルの噛合いにより連動され、そして、座体の先端において、両側に、結合孔が設けられる底座と、が備えられ、上記の部材により、シートバックフレームステーの枢着穴と固定穴に、それぞれ、底座の枢着穴と摺動枢着棒が枢着され、シートバックフレームが、摺動枢着棒を介して、摺動槽を、ばねによる付勢で、前後に変位し、また、該ばねの弾力が、伝達ハンドルにより、調整車で押さえ板が連動されることにより、調整される、ことを特徴とする椅子底座のアセンブリー構造改良である。
【０００５】
請求項２の考案は、シートパッドフレームの枠体の両側の上面に、シートパッドが固定される摺動座がレール接続され、摺動座に、歯溝板に対応して係止する弾性係止板があり、弾性係止板が、引かれて歯溝板から脱離されると、シートパッドを引くことにより、摺動座が、シートパッドフレームに対して、相対的に前後に変位調整されることを特徴とする請求項１に記載の椅子底座のアセンブリー構造改良である。
【０００６】
請求項３の考案は、摺動枢着棒において、径方向に、冂形状フレーム内部に貫設されるトゥースフェイス棒が設けられ、また、トゥースフェイス棒の下方にある導線により、弾性部材が常に上へ付勢されるようになり、そして、トゥースフェイス棒に、弾性が比較的に小さいクラウンバーにより、若干に押さえられ、これにより、トゥースフェイス棒の歯溝が、冂形状フレームの係止シートにより抵当されてシートバックが、固定状態に保持され、また、調整ボタンにより導線が連動され、弾性部材が、下へ引っ張られて内縮すると、弾性が比較的に小さいクラウンバーの押さえ力により、トゥースフェイス棒が、下へ変位して係止シートの係止から脱離し、そのため、シートバックが、再び、力を受けて前後へ動揺でき、また、回復調整ボタンにより、弾性部材が、上へ付勢される時、トゥースフェイス棒の複数の歯溝のいずれかの一つが、再び、係止シートと係止することを特徴とする請求項１に記載の椅子底座のアセンブリー構造改良である。
【０００７】
請求項４の考案は、シートバックフレームの後端に、シートバックフレームが上に向かって枢着されるようにネジ杆に対応して螺合でき、下へ動揺可能に動揺板が設けられ、ネジ杆を回動調整することにより、シートパッドフレームとシートバックフレームとの後端の相対距離が調整されることを特徴とする請求項１に記載の椅子底座のアセンブリー構造改良である。
【０００８】
本考案によれば、本考案に係る底座は、枢着穴によりシートバックフレームに枢着されてから、摺動槽の摺動枢着棒で、更にシートバックフレームに枢着されるため、シートバックフレームが、底座に対して、相対に前後動揺できる設計が形成され、該摺動枢着棒は、調整車により制御されるばねによって付勢され、そのため、シートバックフレームが、底座に対して、相対に動揺する弾力を調整可能であり（即ち、定位構造を配置して、動揺の傾斜角度を保持できる）、また、シートパッドフレームに、シートパッドが固定される、摺動や係止可能の摺動座がレール接続され、そして、ネジ杆が動揺板に対する螺着深さを調整することにより、シートパッドの前後変位や傾斜角度の調整機能が得られ、そのため、本考案によれば、各調整部材を底座に組み立てることができるだけでなく、多機能で小体積である利点が得られる。
【考案を実施するための最良の形態】
【０００９】
本考案は、主として、脚座気圧棒１の上方に固定結合される底座１０であって、シートバックフレーム２やシートパッドフレーム３が、枢着結合され（図１のように）、
底端が、脚座に固定される気圧棒１１、気圧棒１１の上面に操作ボタン１２が設けられる（図４のように）脚座気圧棒１と、
先端に、底座１０の幅に二つのステー２１する二つのステー２１がある枠フレームがあり、ステー２１上に、枢着穴２２と固定穴２３が形成され、枠フレームの後端に、シートバックを結合するための槽２４が設けられ、また、上へ向かうように枢着されるネジ杆２６がある（図２のように、枠フレームの両側に、手摺を結合固定するための手摺接合棒２５が設けられる）シートバックフレーム２と、
先端に、底座１０の先端に結合される結合棒３１があり、後端に、ネジ杆２６が対応して螺着されるための下へ向かうように動揺可能の動揺板３２が枢着され、枠体の両側において、上面に、シートパッドが固定されるための摺動座３５がレール接続され、枠体の下に、対応する摺動座３５に設けられた歯溝板３７に係止するための（係止板３６は、弾力により、常に対応する歯溝板３７に噛合って係止するものであり、従来の技術であるため、ここでは、説明を省略する）弾性係止板３６が設けられるシートパッドフレーム３と、
脚座気圧棒１と線制御の枢着板可動部材１０２が固定されるスリーブ１０１を内蔵する皿状座体で（図３のように）、中端の両側に、枢着穴１００と、枢着穴１００に対応する摺動槽１０３とが、形成され、摺動枢着棒１０４が、摺動槽１０３を通して抵当押さえ板１０６のばね１０５によって付勢され、また、押さえ板１０６が、調整車１０７軸心にあるねじ山によって連動され、また、調整車１０７が、伝達ハンドル１０８の噛合いにより連動され、そして、座体の先端において、両側に、結合孔１０９が設けられる底座１０と、
が備えられる。
【００１０】
上記の部材により、底座１０のスリーブ１０１は、気圧棒１１が嵌設され（図４のように）、これにより、脚座気圧棒１の操作ボタン１２が、操作可動部材１０２に対応し、また、シートバックフレーム２のステー２１上の枢着穴２２と固定穴２３により、それぞれ、底座１０の枢着穴１００と摺動枢着棒１０４（図５のように）に枢着され、そして、シートパッドフレーム３の結合棒３１が、底座１０の結合孔１０９に枢着され、ネジ杆２６が動揺板３２に対応して螺着されるように、本考案の組み立てが終了される。
【００１１】
上記底座１０が結合されると、操作可動部材１０２が線制御操作である可動部品であるため、調整ボタン４により、導線４１を介して連動されるように（図６のように）、操作可動部材１０２が、操作ボタン１２に圧力を印加し、それにより、気圧棒１１が伸縮するように調整され、そのため、底座１０が、地面に対して、相対的な昇降高さが変化し、シートバックに結合されるシートバックフレーム２は、シートバックに靠れる時、底座１０に対して、相対的に動揺する圧力が発生し、シートバックフレーム２の枢着穴２２と、枢着穴１００とが枢着されるため、固定穴２３に枢着される摺動枢着棒１０４が、摺動槽１０３である摺動可能の空間に位置し、シートバックに靠れることにより印加された力が、ばね１０５の弾力より大きい時、シートバックフレーム２が、底座１０に相対的に動揺し、そのため、シートバックは、前後へ動揺する特性を有する。また、ばね１０５の弾力は、伝達ハンドル１０８を操作することにより、それに噛合う調整車１０７と押さえ板１０６との螺着深さが変化し、そのため、押さえ板１０６によって抵当されるばね１０５は、異なる弾力を持つようになる。また、シートパッドフレーム３の後端にある動揺板３２は、シートバックフレーム２に枢着されたネジ杆２６が、螺着され、ネジ杆２６を回動して調整すると、シートパッドフレーム３とシートバックフレーム２の後端との相対距離が変化し（シートパッドフレーム３とシートバックフレーム２の傾斜角度の変化）、これにより、ユーザーのニーズに応じて、異なる快適性が得られる。
【００１２】
ユーザーは、弾性係止板３６が、引っ張られることにより、歯溝板３７から脱離されると、シートパッドを引っ張ることにより、摺動座３５が、シートパッドフレーム３に対して、相対的に前後へ変位するように調整されてから、弾性係止板３６が、歯溝板３７に係止することにより、シートパッドが、前後へ変位して調整される機能が実現される。そのため、本考案によれば、多機能性が実現され、ユーザーの快適のニーズに満足できる。
【００１３】
また、本考案によれば、摺動枢着棒１０４が、径方向に、冂形状フレーム５３の内部を貫通するように（図５と図７のように）、トゥースフェイス棒５が枢着され、また、トゥースフェイス棒５の下方にある導線６１により、弾性部材５２が常に上へ付勢されるようになり（図６のように）、そして、トゥースフェイス棒５に、弾性が比較的に小さいクラウンバー５５により、若干に押さえられることにより、トゥースフェイス棒５上の歯溝５１が、冂形状フレーム５３の係止シート５４に抵当され、そのため、調整ボタン６により弾性部材５２が下へ引っ張られて内縮しない時、トゥースフェイス棒５が、係止シート５４によって抵当されて固定される状態で、摺動枢着棒１０４が摺動槽１０３に位置して固定され、シートバックが、前後へ動揺しなくなり、また、調整ボタン６により導線６１が連動されて弾性部材５２が、引っ張られて下へ内縮する時、弾性が比較的に小さいクラウンバー５５の押さえ力により、トゥースフェイス棒５が下へ変位して係止シート５４の係止から脱離し、そのため、シートバックが、再び、力を受けて前後へ動揺でき、また、必要とするシートバック角度に調整された後、ユーザーが、調整ボタン６を回復させることにより、弾性部材５２が上へ付勢されて、トゥースフェイス棒５上の複数の歯溝５１のいずれかの一つが、再び、係止シート５４と係止して固定される。
【図面の簡単な説明】
【００１４】
【図１】本考案の構造外観図
【図２】本考案に係るシートバックフレームとシートパッドフレームとを結合する時の状態図
【図３】本考案の底座構造図
【図４】本考案の底座の組立て図
【図５】本考案に係るシートバックフレームと底座とを組立てる時の状態図
【図６】本考案の調整ボタンと弾性部材の構造参考図
【図７】本考案に係るシートバックフレームと底座との操作状態の参考図
【符号の説明】
【００１５】
１       
脚座気圧棒
１０      底座
１００    枢着穴
１０１    スリーブ
１０２    操作可動部材
１０３    摺動槽
１０４    摺動枢着棒
１０５    ばね
１０６    押さえ板
１０７    調整車
１０８    伝達ハンドル
１０９    結合孔
１１      気圧棒
１２      操作ボタン
２        シートバックフレーム
２１      ステー
２２      枢着穴
２３      固定穴
２４      槽
２５      手摺接合棒
２６      ネジ杆
３        シートパッドフレーム
３１      結合棒
３２      動揺板
３５      摺動座
３６      弾性係止板
３７      歯溝板
４        調整ボタン
４１      導線
５        トゥースフェイス棒
５１      歯溝
５２      弾性部材
５３      冂形状フレーム
５４      係止シート
５５      弾性が比較的に小さいクラウンバー
６        調整ボタン
６１      導線
【図１】
0003144493.tif 000003
【図２】
0003144493.tif 000004
【図３】
0003144493.tif 000005
【図４】
0003144493.tif 000006
【図５】
0003144493.tif 000007
【図６】
0003144493.tif 000008
【図７】
0003144493.tif 000009
【手続補正書】
【提出日】平成20年7月1日(2008.7.1)
【手続補正１】
【補正対象書類名】実用新案登録請求の範囲
【補正対象項目名】全文
【補正方法】変更
【補正の内容】
【実用新案登録請求の範囲】
【請求項１】
主として、脚座気圧棒の上方に固定結合され、シートバックフレームとシートパッドフレームが枢着される椅子底座であって、
底端が、脚座に固定され、上面に操作ボタンが設けられる脚座気圧棒と、
先端に、底座の幅に対応する二つのステーがある枠フレームであり、ステー上に、枢着穴と固定穴が形成され、枠フレームの後端に、シートバックを結合するための槽が設けられるシートバックフレームと、
先端に、底座の先端に結合される結合棒があり、後端が、シートバックフレームに連結され、シートパッドを固定するためのフレーム体であるシートパッドフレームと、
脚座気圧棒と線制御の枢着板可動部材制御操作ボタンが固定されるスリーブを内蔵する皿状座体で、中端の両側に、枢着穴と、枢着穴に対応する摺動槽とが、形成され、摺動枢着棒が、摺動槽を通して抵当押さえ板のばねによって付勢され、また、押さえ板が、調整車軸心にあるねじ山によって連動され、また、調整車が、伝達ハンドルの噛合いにより連動され、そして、座体の先端において、両側に、結合孔が設けられる底座と、
が備えられ、
上記の部材により、シートバックフレームステーの枢着穴と固定穴に、それぞれ、底座の枢着穴と摺動枢着棒が枢着され、シートバックフレームが、摺動枢着棒を介して、摺動槽を、ばねによる付勢で、前後に変位し、また、該ばねの弾力が、伝達ハンドルにより、調整車で押さえ板が連動されることにより、調整される、
ことを特徴とする椅子底座のアセンブリー構造。
【請求項２】
シートパッドフレームの枠体の両側の上面に、シートパッドが固定される摺動座がレール接続され、摺動座に、歯溝板に対応して係止する弾性係止板があり、弾性係止板が、引かれて歯溝板から脱離されると、シートパッドを引くことにより、摺動座が、シートパッドフレームに対して、相対的に前後に変位調整されることを特徴とする請求項１に記載の椅子底座のアセンブリー構造。
【請求項３】
摺動枢着棒において、径方向に、冂形状フレーム内部に貫設されるトゥースフェイス棒が設けられ、また、トゥースフェイス棒の下方にある導線により、弾性部材が常に上へ付勢されるようになり、そして、トゥースフェイス棒に、弾性が比較的に小さいクラウンバーにより、僅かに押さえられ、これにより、トゥースフェイス棒の歯溝が、冂形状フレームの係止シートにより抵当されてシートバックが、固定状態に保持され、また、調整ボタンにより導線が連動され、弾性部材が、下へ引っ張られて内縮すると、弾性が比較的に小さいクラウンバーの押さえ力により、トゥースフェイス棒が、下へ変位して係止シートの係止から脱離し、そのため、シートバックが、再び、力を受けて前後へ動揺でき、まだ、回復調整ボタンにより、弾性部材が、上へ付勢される時、トゥースフェイス棒の複数の歯溝のいずれかの一つが、再び、係止シートと係止することを特徴とする請求項１に記載の椅子底座のアセンブリー構造。
【請求項４】
シートバックフレームの後端に、シートバックフレームが上に向かって枢着されるようにネジ杆に対応して螺合でき、下へ動揺可能に動揺板が設けられ、ネジ杆を回動調整することにより、シートパッドフレームとシートバックフレームとの後端の相対距離が調整されることを特徴とする請求項１に記載の椅子底座のアセンブリー構造。